【事件の表示】
　特願２０１１−５１２７９８「スペクトルアグリゲーションとともに中継局を使用する方法、通信局、基地局及び通信システム」拒絶査定不服審判事件〔平成２１年１２月１７日国際公開、ＷＯ２００９／１４９５６５、平成２３年　８月　４日国内公表、特表２０１１−５２３３１０〕について、次のとおり審決する。
【結　論】
　本件審判の請求は、成り立たない。
【理　由】
　
１．手続の経緯・本願発明
　本願は、２００９年６月１２日（パリ条約による優先権主張外国庁受理２００８年６月１２日、米国）を国際出願日とする出願であって、平成２６年１月６日付けで手続補正がなされ、平成２６年１月２３日付けで拒絶査定がされ、これに対し、平成２６年５月２７日に拒絶査定不服審判がされるとともに、同時に手続補正がなされたものである。
２．平成２６年５月２７日付けの手続補正についての補正却下の決定
　［補正却下の決定の結論］
　　平成２６年５月２７日付けの手続補正を却下する。
　［理由］
　本件補正の目的
　平成２６年５月２７日付けの手続補正（以下「本件補正」という）は平成２６年１月６日付けの手続補正と内容は同一である。
　よって、請求項の削除でもなく、特許請求の範囲の減縮でもなく、誤記の訂正でもなく、明りょうでない記載の釈明でもないことは明らかである。
　したがって、本件補正は、特許法第１７条の２第５項の規定に違反するので、同法第１５９条第１項において読み替えて準用する同法第５３条第１項の規定により却下すべきものである。
３．本願発明について
（１）本願発明
　平成２６年５月２７日付の手続補正は上記のとおり却下されたので、本願の請求項１に係る発明（以下「本願発明」という。）は、平成２６年１月６日付け手続補正書の特許請求の範囲の請求項１に記載された事項により特定される、以下のとおりのものである。
「方法であって、
　基地局と、該基地局が通信している少なくとも1つの中継局との間の通信リンクについて、第1の周波数サブバンドを割り当て、
　前記基地局と、前記基地局が通信している第1群の1つ以上の移動局との間の通信リンクについて、第2の周波数サブバンドを割り当て、
　少なくとも1つの中継局と、該少なくとも1つの中継局が通信している第2群の1つ以上の移動局との間の通信リンクについて、第3の周波数サブバンドを割り当て、
　前記少なくとも1つの中継局が、
　前記第1の周波数サブバンドにおいて信号を受信することと、前記第3の周波数サブバンドにおいて信号を送信することとを同時に行うこと、又は
　前記第1の周波数サブバンドにおいて信号を送信することと、前記第3の周波数サブバンドにおいて信号を受信することとを同時に行うことの内の一方を実行するステップ
　を有し、前記第1、第2及び第3の周波数サブバンドは、共に統合されるときに帯域幅を拡張するようにまとめられる重複していない複数のサブバンドであり、
　方法は、さらに、
　a)
　　i)前記第1の周波数サブバンドを割り当てる際、専用のサブバンドを割り当て、
　　ii)前記第3の周波数サブバンドを割り当てる際、専用のサブバンドを割り当てるステップと、
　b)　前記第1及び第3の周波数サブバンドの少なくとも一方を、専用の第1又は第3の周波数サブバントとは異なるサブバンドにそれぞれ動的に割り当てるステップと、
　c)　前記第1、第2及び第3の周波数サブバンドの少なくとも1つのサブバンドのサイズを変更するステップと、
　d)　前記第1、第2及び第3のキャリア周波数の少なくとも1つに含まれるキャリア数を変更するステップと、
　e)　前記中継局の送信及び受信の間の干渉を減らすように、送信電力分布を制御するステップのうち少なくとも一つを有し、
　前記送信電力分布を制御する前記ステップにおいて、前記中継局の送信及び受信の間のガードバンドのサイズを小さくできるように、広帯域信号の代わりに当該広帯域信号のピーク電力より高いピーク電力を有する狭帯域信号を利用して前記第1又は第3の周波数サブバンドにより信号を送信する、方法。」
（２）引用例記載の発明
　原査定の拒絶の理由に引用された、本願の優先権主張の日前である２００７年５月１０日に公開された特開２００７−１１６７０３号公報（以下「引用例１」という。下線部は当審が付与。）には、次の事項が記載されている。
「【０００９】
　
図１は、一般的なマルチホップ中継方式のセルラーネットワークの構成を示す。
【００１０】
　図１に示すように、基地局１００のサービス領域１０１に含まれる端末１１０は、基地局１００と直接リンクで接続される。その反面、基地局のサービス領域１０１の外に位置してチャンネル状態の悪い端末１２０は、中継局１３０を通じて中継リンクに接続される。
【００１１】
　また、端末１１０，１２０が基地局１００と通信を遂行するが、基地局サービス領域１０１の外部に位置してチャンネル状態が悪い場合に、中継局１３０を用いてより優れた無線チャンネルを提供することができる。したがって、基地局１００は、マルチホップ中継技法を適用してチャンネル状態が悪いセル境界地域に高速のデータチャンネルを提供し、セルサービス領域を拡張させることができる。
図１に示すように、セルラーネットワークで中継サービスを使用する場合に、基地局と端末リンクだけでなく基地局と中継局リンクと中継局と端末リンクが存在する。
【００１２】
　マルチホップ中継方式を使用するセルラーネットワークで、端末は、状況により基地局だけでなく中継局とも通信を遂行するために、無線インターフェース(Ａｉｒ　ｉｎｔｅｒｆａｃｅ)で提供されるリソースが、基地局と中継局との間で動的に分配されなければならない。
【００１３】
　セルラーネットワークは、サービス提供者に一つ以上の周波数帯域が割り当てられるため、マルチホップ中継を使用するセルラーネットワークで一つ以上の周波数帯域を用いて多重リンクが無線インターフェースリソースを干渉なしに効率的に使用可能な通信構造が必要である。」
「【００３０】
　図２は、本発明の第１の実施形態によるマルチホップ中継セルラーネットワークのサブフレームの構成を示す。
【００３１】
　
図２に示すように、サブフレームは、周波数帯域Ｂ１　２０１と周波数帯域Ｂ２　２０３を用いて各々リンクのためのサブフレームを構成する。このとき、周波数帯域Ｂ１　２０１にはＢＳ−ＲＳリンクのためのサブフレームを構成する。また、周波数帯域Ｂ２　２０３は、ＢＳ−ＭＳリンクとＲＳ−ＭＳリンクのためのサブフレームを構成する。
【００３２】
　サブフレームの構成方式により、基地局は、ＢＳ−ＲＳリンクとＢＳ−ＭＳリンクが相互に異なる周波数帯域に分けられて同時に通信を遂行するため、それぞれの周波数帯域により２個の送受信装置を必要とする。故に、ＢＳは、ＲＳ及びＭＳによって異なる周波数帯域を同時に管理する。
【００３３】
　また、
中継局もサブフレームの構成方式により、ＲＳ−ＭＳリンクとＢＳ−ＲＳリンクが相互に異なる周波数帯域に分けられて同時に通信を遂行する
ダウンリンクサブフレーム内で、中継局は、周波数帯域Ｂ１　２０１を通じて基地局から信号を受信し、周波数帯域Ｂ２　２０３を通じて端末に信号を送信する。また、アップリンクサブフレーム内で中継局は周波数帯域Ｂ１　２０１を通じて基地局に信号を送信し、周波数帯域Ｂ２　２０３を通じて端末から信号を受信する。
「【００６９】
　
図８は、本発明の第１の実施形態によるサブフレームの多重化方法を示す。
点線は状況により割り当て領域が動的に変化可能であることを意味し、
【００７０】
　
図８に示すように、２つの周波数帯域中に一つの周波数帯域でＢＳ−ＭＳリンクのためのサブフレームとＲＳ−ＭＳリンクのためのサブフレームを構成するための方法を示す。
【００７１】
　第１の方法８０１は、ＢＳ−ＭＳリンクのためのサブフレームとＲＳ−ＭＳリンクのためのサブフレームに相互に異なる時間スロットを割り当てて時間多重化を遂行する。この場合に、相互に異なるリンクに対してバースト割り当て自由度が高い。すなわち、各リンク別リソース割り当て方式を異なるように設定可能である。
【００７２】
　第２の方法８０３は、
ＢＳ−ＭＳリンクのためのサブフレームとＲＳ−ＭＳリンクのためのサブフレームに各々相互に異なる周波数帯域を割り当てて周波数多重化を遂行する。
　また、図８には、CASE2(803)としてＢＳ−ＭＳとＲＳ−ＭＳが点線で区切られていることが記載されている。
　上記によれば、引用例１には、
「マルチホップ中継方式のセルラーネットワークにおいて、セルラーネットワークで中継サービスを使用する場合に、基地局と端末リンクだけでなく基地局と中継局リンクと中継局と端末リンクが存在し、
　サブフレームは、周波数帯域Ｂ１　２０１と周波数帯域Ｂ２　２０３を用いて各々リンクのためのサブフレームを構成し、周波数帯域Ｂ１　２０１にはＢＳ−ＲＳリンクのためのサブフレームを構成し、周波数帯域Ｂ２　２０３は、ＢＳ−ＭＳリンクとＲＳ−ＭＳリンクのためのサブフレームを構成し、
　中継局はサブフレームの構成方式により、ＲＳ−ＭＳリンクとＢＳ−ＲＳリンクが相互に異なる周波数帯域に分けられて同時に通信を遂行し、
　中継局は、ダウンリンクサブフレーム内で、周波数帯域Ｂ１　２０１を通じて基地局から信号を受信し、周波数帯域Ｂ２　２０３を通じて端末に信号を送信し、アップリンクサブフレーム内で中継局は周波数帯域Ｂ１　２０１を通じて基地局に信号を送信し、周波数帯域Ｂ２　２０３を通じて端末から信号を受信し、
　ＢＳ−ＭＳとＲＳ−ＭＳは状況により割り当て領域が動的に変化可能であり、一つの周波数帯域でＢＳ−ＭＳリンクのためのサブフレームとＲＳ−ＭＳリンクのためのサブフレームを構成するための方法として、
　ＢＳ−ＭＳリンクのためのサブフレームとＲＳ−ＭＳリンクのためのサブフレームに各々相互に異なる周波数帯域を割り当てて周波数多重化を遂行する
　方法。」
が記載されている。（以下「引用発明」という）
（３）本願発明と引用発明の対比
　引用発明の「ＢＳ−ＲＳリンク」は、本願発明の「基地局と、該基地局が通信している少なくとも1つの中継局との間の通信リンク」であり、
　引用発明の「ＢＳ−ＭＳリンク」は、本願発明の「基地局と、前記基地局が通信している第1群の1つ以上の移動局との間の通信リンク」であり、
　引用発明の「ＲＳ−ＭＳリンク」は、本願発明の「少なくとも1つの中継局と、該少なくとも1つの中継局が通信している第2群の1つ以上の移動局との間の通信リンク」であるから、
　引用発明の「ＢＳ−ＲＳリンクのためのサブフレームを構成する周波数帯域Ｂ１」は、本願発明の「第１の周波数サブバンド」に、
　引用発明の「ＢＳ−ＭＳリンクのためのサブフレームに割当てられた周波数帯域」は、本願発明の「第２の周波数サブバンド」に、
　引用発明の「ＲＳ−ＭＳリンクのためのサブフレームに割当てられた周波数帯域」は、本願発明の「第３の周波数サブバンド」に、
それぞれ相当する。
　引用発明において、ＢＳ−ＲＳリンクのためのサブフレームを構成する周波数帯域Ｂ１と、ＢＳ−ＭＳリンクとＲＳ−ＭＳリンクのためのサブフレームを構成する周波数帯域Ｂ２を用いて各々リンクのためのサブフレームを構成し、ＢＳ−ＭＳリンクとＲＳ−ＭＳリンクのためのサブフレームを構成する周波数帯域Ｂ２は、ＢＳ−ＭＳリンクのためのサブフレームとＲＳ−ＭＳリンクのためのサブフレームに各々相互に異なる周波数帯域を割当てて周波数多重を行っているから、結局のところ、ＢＳ−ＲＳリンクのサブフレームを構成する周波数帯域Ｂ１と、ＢＳ−ＭＳリンクのサブフレームとＲＳ−ＭＳリンクのサブフレームが周波数多重されている周波数帯域Ｂ２で各々リンクのためのサブフレームを構成している。
　すなわち、ＢＳ−ＲＳリンクのサブフレームとＢＳ−ＭＳリンクのサブフレームとＲＳ−ＭＳリンクのサブフレームが周波数多重されてサブフレームを構成しているといえる。
　上記によれば、引用発明は、「基地局と、該基地局が通信している少なくとも1つの中継局との間の通信リンクについて、第1の周波数サブバンドを割り当て、前記基地局と、前記基地局が通信している第1群の1つ以上の移動局との間の通信リンクについて、第2の周波数サブバンドを割り当て、少なくとも1つの中継局と、該少なくとも1つの中継局が通信している第2群の1つ以上の移動局との間の通信リンクについて、第3の周波数サブバンドを割り当て」ているといえる。
　そして、それぞれの周波数サブバンドは相互に異なる周波数帯域であるから、第１、第２及び第３の周波数サブバンドは、「重複していない複数のサブバンド」である。
　引用発明において、中継局は、ＲＳ−ＭＳリンクとＢＳ−ＲＳリンクが相互に異なる周波数帯域に分けられて「同時に通信を遂行」しており、ダウンリンクサブフレーム内で、中継局は、周波数帯域Ｂ１　２０１を通じて基地局から信号を受信し、周波数帯域Ｂ２　２０３を通じて端末に信号を送信し、アップリンクサブフレーム内で中継局は周波数帯域Ｂ１　２０１を通じて基地局に信号を送信し、周波数帯域Ｂ２　２０３を通じて端末から信号を受信している。
　ここで、ＲＳ−ＭＳリンクは、本願発明の第３の周波数サブバンドに相当する周波数帯域を用いており、ＢＳ−ＲＳリンクは本願発明の第１の周波数サブバンドに相当する周波数帯域を用いているから、引用発明は、ダウンリンクサブフレーム内で、第１の周波数サブバンドにより信号の受信と第３の周波数サブバンドによる信号の送信を「同時に遂行」し、アップリンクサブフレーム内で第１の周波数サブバンドによる信号の送信と第３の周波数サブバンドによる信号の受信を「同時に遂行」しているといえる。
　上記によれば、引用発明は、「前記第1の周波数サブバンドにおいて信号を受信することと、前記第3の周波数サブバンドにおいて信号を送信することとを同時に行うこと、又は前記第1の周波数サブバンドにおいて信号を送信することと、前記第3の周波数サブバンドにおいて信号を受信することとを同時に行うことの内の一方を実行するステップ」を有しているといえる。
　ここで、本願発明の
「a)
　　i)前記第1の周波数サブバンドを割り当てる際、専用のサブバンドを割り当て、
　　ii)前記第3の周波数サブバンドを割り当てる際、専用のサブバンドを割り当てるステップと、
　b)　前記第1及び第3の周波数サブバンドの少なくとも一方を、専用の第1又は第3の周波数サブバントとは異なるサブバンドにそれぞれ動的に割り当てるステップと、
　c)　前記第1、第2及び第3の周波数サブバンドの少なくとも1つのサブバンドのサイズを変更するステップと、
　d)　前記第1、第2及び第3のキャリア周波数の少なくとも1つに含まれるキャリア数を変更するステップと、
　e)　前記中継局の送信及び受信の間の干渉を減らすように、送信電力分布を制御するステップのうち少なくとも一つを有し、
　前記送信電力分布を制御する前記ステップにおいて、前記中継局の送信及び受信の間のガードバンドのサイズを小さくできるように、広帯域信号の代わりに当該広帯域信号のピーク電力より高いピーク電力を有する狭帯域信号を利用して前記第1又は第3の周波数サブバンドにより信号を送信する」
　については、a)b)c)d)e)のステップのうち少なくとも一つを有することが必要であって、「前記送信電力分布を制御する前記ステップにおいて、前記中継局の送信及び受信の間のガードバンドのサイズを小さくできるように、広帯域信号の代わりに当該広帯域信号のピーク電力より高いピーク電力を有する狭帯域信号を利用して前記第1又は第3の周波数サブバンドにより信号を送信する」ことが必要であるが、「前記送信電力分布を制御するステップ」はステップe)をさらに限定する構成である。
　そして、引用発明において、ＢＳ−ＭＳリンクとＲＳ−ＭＳリンクは割当て領域が動的に変化可能であるから、「第１の周波数サブバンド」と「第３の周波数サブバンド」は、サイズを変更するステップを有しているといえるので、引用発明は、c)の「前記第1、第2及び第3の周波数サブバンドの少なくとも1つのサブバンドのサイズを変更するステップ」を有しているといえる。
　上記によれば、引用発明は、
「a)
　　i)前記第1の周波数サブバンドを割り当てる際、専用のサブバンドを割り当て、
　　ii)前記第3の周波数サブバンドを割り当てる際、専用のサブバンドを割り当てるステップと、
　b)　前記第1及び第3の周波数サブバンドの少なくとも一方を、専用の第1又は第3の周波数サブバントとは異なるサブバンドにそれぞれ動的に割り当てるステップと、
　c)　前記第1、第2及び第3の周波数サブバンドの少なくとも1つのサブバンドのサイズを変更するステップと、
　d)　前記第1、第2及び第3のキャリア周波数の少なくとも1つに含まれるキャリア数を変更するステップと、
　e)　前記中継局の送信及び受信の間の干渉を減らすように、送信電力分布を制御するステップのうち少なくとも一つを有し、
　前記送信電力分布を制御する前記ステップにおいて、前記中継局の送信及び受信の間のガードバンドのサイズを小さくできるように、広帯域信号の代わりに当該広帯域信号のピーク電力より高いピーク電力を有する狭帯域信号を利用して前記第1又は第3の周波数サブバンドにより信号を送信する」
　を有しているといえる。
　したがって、本願発明と引用発明は、
「方法であって、
　基地局と、該基地局が通信している少なくとも1つの中継局との間の通信リンクについて、第1の周波数サブバンドを割り当て、
　前記基地局と、前記基地局が通信している第1群の1つ以上の移動局との間の通信リンクについて、第2の周波数サブバンドを割り当て、
　少なくとも1つの中継局と、該少なくとも1つの中継局が通信している第2群の1つ以上の移動局との間の通信リンクについて、第3の周波数サブバンドを割り当て、
　前記少なくとも1つの中継局が、
　前記第1の周波数サブバンドにおいて信号を受信することと、前記第3の周波数サブバンドにおいて信号を送信することとを同時に行うこと、又は
　前記第1の周波数サブバンドにおいて信号を送信することと、前記第3の周波数サブバンドにおいて信号を受信することとを同時に行うことの内の一方を実行するステップ
　を有し、前記第1、第2及び第3の周波数サブバンドは、重複していない複数のサブバンドであり、
　方法は、さらに、
　a)
　　i)前記第1の周波数サブバンドを割り当てる際、専用のサブバンドを割り当て、
　　ii)前記第3の周波数サブバンドを割り当てる際、専用のサブバンドを割り当てるステップと、
　b)　前記第1及び第3の周波数サブバンドの少なくとも一方を、専用の第1又は第3の周波数サブバントとは異なるサブバンドにそれぞれ動的に割り当てるステップと、
　c)　前記第1、第2及び第3の周波数サブバンドの少なくとも1つのサブバンドのサイズを変更するステップと、
　d)　前記第1、第2及び第3のキャリア周波数の少なくとも1つに含まれるキャリア数を変更するステップと、
　e)　前記中継局の送信及び受信の間の干渉を減らすように、送信電力分布を制御するステップのうち少なくとも一つを有し、
　前記送信電力分布を制御する前記ステップにおいて、前記中継局の送信及び受信の間のガードバンドのサイズを小さくできるように、広帯域信号の代わりに当該広帯域信号のピーク電力より高いピーク電力を有する狭帯域信号を利用して前記第1又は第3の周波数サブバンドにより信号を送信する、方法。」
　で一致し、
　本願発明は、第１、第２及び第３の周波数サブバンドが「共に統合されるときに帯域幅を拡張するようにまとめられる」のに対し、引用発明では記載が無い点（以下「相違点」という。）
　で相違する。
（４）当審の判断
　TSG-RAN WG1 #53 R1-082024(May 5-9,2008),Ericsson,A discussion on some technology components for LTE-Advanced（以下「周知例２」という。下線部は当審が付与。）には、
「1. Introduction and executive summary
In this paper we provide some further discussion on the different LTE-Advanced candidate technology components outlined in [1]. We also connect these technology components with proposals outlined by other participants at the 3GPP LTE-Advanced workshop. The aim of this paper is to
- Try to conclude on to what extent certain technology components seem to have a relatively general support in the 3GPP community and can thus already at this stage be regarded as relatively likely components of the  LTE evolution towards LTE-Advanced..
- On some more extensive technology components, such as coordinated multipoint transmission and repeater/relaying functionality, to highlight the fundamental characteristics of the technologies in order to create a framework for future more detailed discussions.
The paper includes a relatively detailed discussion on each technology component in the next section. This discussion and the conclusions are summarized below
1.1. Extension to wider bandwidth
Section 2.1 discusses the extension to wider bandwidth as part of the LTE evolution towards LTE-Advanced.
It is clarified that such an extension was outlined in most workshop presentations and also covered in the workshop summary. Thus it should be very difficult not to include this as part of the LTE evolution towards LTE-Advanced.
It is also argued that a carrier-aggregation approach to extended bandwidth is the natural choice taking the requirement on spectrum compatibility with LTE release 8 into account.
（当審訳：
１．導入と要旨
　この論文では、[1]に概説されている様々なLTE-A候補技術要素のさらなる議論を提供する。我々はまた、これらの技術要素を3GPP LTE-Adavancedワークショップにおいて他の参加者によって概説されている提案と関連付ける。この論文のねらいは、
−特定の技術要素が3GPPコミュニティにおいて比較的一般的なサポートを有しているように見えて、この段階でLTE-AdvancedにむけたLTE進化の比較的適切な要素とみなされることが可能である程度に結論付けることを試す。
−協調マルチポイント転送やリピータ／リレー機能のようないくつかのより広範な技術要素について、将来のより詳細な議論のためのフレームワークを作成するために技術の基本的特性を強調する。
　この論文は、次のセクションにおいて、各技術要素の比較的詳細な議論が含まれている。この議論と結論を下にまとめた。
１．１　より広い帯域幅への拡張
　
セクション２．１はLTE-Advancedに向けたLTE進化の一つとしてより広い帯域幅への拡張が議論されている。
　
LTEリリース８の周波数互換の要求を考慮した帯域幅を拡張するためのキャリアアグリゲーションのアプローチは自然な選択であると主張される。
「1.5. Repeater/relaying functionality
Section 2.5 discusses the introduction of relaying functionality as part of LTE-Advanced.
（当審訳：
１．５　リピータ／リレー機能
　
セクション２．５はLTE-Advancedの一部であるリレー機能の導入について議論している。
　の記載があるから、
「帯域幅を拡張するためのキャリアアグリゲーションがLTE-Advancedに向けた自然な選択であり、LTE-Advancedの一部としてリレー機能の導入がある」ことが周知例２に記載されている。
　また、3GPP TSG RAN WG1 Meeting #53 R1-081791(May 5-9,2008),Panasonic,Technical proposals and considerations for LTE advanced（以下「周知例３」という。下線部は当審が付与。）には、
「
Technical proposals and considerations for LTE advanced
（当審訳：
　
LTE advancedのための技術提案と考察
「1. 
Support of Relay
2. System bandwidth support up to 100MHz」（２頁）
（当審訳：
１．
リレーのサポート
２．100MHz以上のシステム帯域幅のサポート）
「
System support up to 100 MHz
　100MHz band may not be contiguous
　・
Frequency band aggregation may be assumed
（当審訳：
100MHz以上のシステム帯域幅のサポート
　100MHzバンドは連続していない
　・
周波数帯域アグリゲーションを想定する
　の記載があるから、
「LTE advancedの技術として、リレーをサポートし、周波数帯域アグリゲーションにより100MHz以上のシステム帯域幅をサポートする」ことが周知例３に記載されている。
　LTE-Advancedはセルラーネットワークの技術であり、キャリアアグリゲーションは、「キャリアが共に統合されて帯域幅を拡張する」技術であるから、周知例２、周知例３によれば、「リレー機能を有するセルラーネットワークにおいて、共に統合されるときに帯域幅を拡張する」ことは周知技術である。
　そして、本願発明のように構成したことによる効果も引用発明及び周知技術から予測できる範囲のものである。
　したがって、本願発明は、引用発明に基いて容易に発明をすることができたものである。
４．まとめ
　以上のとおり、本願発明は、引用発明に基づいて、当業者が容易に発明をすることができたものであるから、特許法第２９条第２項の規定により特許を受けることができない。
　よって、結論のとおり審決する。